【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
遊技動作を制御する制御ＣＰＵと、
第１の条件の成立に基づいて第１の値を計測する第１計測手段と、
第２の条件の成立に基づいて第２の値を計測する第２計測手段と、
少なくとも前記第１の値及び前記第２の値に基づいて、遊技に供する遊技価値に関する所定の情報を算出する算出手段と、
前記制御ＣＰＵによって制御され、前記所定の情報を表示可能な第１表示手段と、
遊技者に有利な特別遊技状態を発生させる確率についての設定値を表示する第２表示手段と、
ソレノイドを駆動するソレノイド駆動手段と、
前記ソレノイドと前記ソレノイド駆動手段との電気的な接続を中継する接続手段と、を備え、
前記制御ＣＰＵと、前記第１表示手段と、前記第２表示手段と、前記ソレノイド駆動手段と、前記接続手段とは、同一基板上に配置され、
前記基板の中心点を通る中心線を基準として該基板を第１の領域と第２の領域に分けた際、前記接続手段と前記ソレノイド駆動手段とは、前記第１の領域に配置され、さらに、前記制御ＣＰＵは、前記第１の領域と相反する前記第２の領域に配置され、
前記制御ＣＰＵから前記ソレノイド駆動手段を経由して前記接続手段までの電気的な接続にあたっての配線長の距離が、前記制御ＣＰＵと前記第２表示手段との電気的な接続にあたっての配線長の距離よりも長くなるように配置され、
前記第１表示手段は、複数の７セグメントで構成され、
前記複数の７セグメントに、前記算出手段にて算出した遊技価値の割合を表示するにあたって、割込み処理が実行される所定時間毎に、１個の７セグメントを点灯又は消灯表示していき、前記複数の７セグメントに、前記算出手段にて算出した遊技価値の割合を表示し、
前記第２表示手段は、前記第１表示手段を構成する複数の７セグメントのうち、少なくとも１つの７セグメントで構成されてなる遊技機。
【手続補正２】
【補正対象書類名】明細書
【補正対象項目名】０００８
【補正方法】変更
【補正の内容】
【０００８】
請求項１の発明に係る遊技機によれば、遊技動作を制御する制御ＣＰＵ（例えば、図７に示すワンチップマイクロコンピュータ６００）と、
第１の条件の成立に基づいて第１の値を計測する第１計測手段（例えば、図２５に示すステップＳ１７３、ステップＳ１７６、ステップＳ１７９）と、
第２の条件の成立に基づいて第２の値を計測する第２計測手段（例えば、図２５に示すステップＳ１８４）と、
少なくとも前記第１の値及び前記第２の値に基づいて、遊技に供する遊技価値に関する所定の情報を算出する算出手段（例えば、図２６に示すステップＳ２１２、ステップＳ２１３）と、
前記制御ＣＰＵ（例えば、図７に示すワンチップマイクロコンピュータ６００）によって制御され、前記所定の情報を表示可能な第１表示手段（例えば、図７に示す計測表示装置６１０）と、
遊技者に有利な特別遊技状態を発生させる確率についての設定値を表示する第２表示手段（例えば、図７に示す計測表示装置６１０）と、
ソレノイド（例えば、図６に示す普通電動役物ソレノイド４５ｃ、図６に示す特別電動役物ソレノイド４６ｂ）を駆動するソレノイド駆動手段（例えば、図７に示すソレノイド駆動ドライバＱ１〜Ｑ４）と、
前記ソレノイド（例えば、図６に示す普通電動役物ソレノイド４５ｃ、図６に示す特別電動役物ソレノイド４６ｂ）と前記ソレノイド駆動手段（例えば、図７に示すソレノイド駆動ドライバＱ１〜Ｑ４）との電気的な接続を中継する接続手段（例えば、図７に示すコネクタＣＮ７）と、を備え、
前記制御ＣＰＵ（例えば、図７に示すワンチップマイクロコンピュータ６００）と、前記第１表示手段（例えば、図７に示す計測表示装置６１０）と、前記第２表示手段（例えば、図７に示す計測表示装置６１０）と、前記ソレノイド駆動手段（例えば、図７に示すソレノイド駆動ドライバＱ１〜Ｑ４）と、前記接続手段（例えば、図７に示すコネクタＣＮ７）とは、同一基板（例えば、図７に示す主制御基板６０）上に配置され、
前記基板（例えば、図７に示す主制御基板６０）の中心点（例えば、図７に示す中心点Ｏ）を通る中心線（例えば、図７に示す中心線Ｏ２）を基準として該基板（例えば、図７に示す主制御基板６０）を第１の領域と第２の領域に分けた際、前記接続手段（例えば、図７に示すコネクタＣＮ７）と前記ソレノイド駆動手段（例えば、図７に示すソレノイド駆動ドライバＱ１〜Ｑ４）とは、前記第１の領域に配置され、さらに、前記制御ＣＰＵ（例えば、図７に示すワンチップマイクロコンピュータ６００）は、前記第１の領域と相反する前記第２の領域に配置され、
前記制御ＣＰＵ（例えば、図７に示すワンチップマイクロコンピュータ６００）から前記ソレノイド駆動手段（例えば、図７に示すソレノイド駆動ドライバＱ１〜Ｑ４）を経由して前記接続手段（例えば、図７に示すコネクタＣＮ７）までの電気的な接続にあたっての配線長の距離（例えば、図８及び図１４に示す距離Ｌ１ａ）が、前記制御ＣＰＵ（例えば、図７に示すワンチップマイクロコンピュータ６００）と前記第２表示手段（例えば、図７に示す計測表示装置６１０）との電気的な接続にあたっての配線長の距離（例えば、図８及び図９に示す距離Ｌ２）よりも長くなるように配置され（明細書段落［００８１］参照）、
前記第１表示手段（例えば、図７に示す計測表示装置６１０）は、複数の７セグメントで構成され、
前記複数の７セグメントに、前記算出手段（例えば、図２６に示すステップＳ２１２、ステップＳ２１３）にて算出した遊技価値の割合を表示するにあたって、割込み処理が実行される所定時間毎に、１個の７セグメントを点灯又は消灯表示していき、前記複数の７セグメントに、前記算出手段（例えば、図２６に示すステップＳ２１２、ステップＳ２１３）にて算出した遊技価値の割合を表示し（明細書段落［０２２３］参照）、
前記第２表示手段（例えば、図７に示す計測表示装置６１０）は、前記第１表示手段（例えば、図７に示す計測表示装置６１０）を構成する複数の７セグメントのうち、少なくとも１つの７セグメントで構成されてなる（明細書段落［０２３１］参照）ことを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】０２４１
【補正方法】変更
【補正の内容】
【０２４１】
１                      パチンコ遊技機
４１                    液晶表示装置
４４                    特別図柄１始動口
４４ａ                  特別図柄１始動口スイッチ
４５                    特別図柄２始動口
４５ａ                  特別図柄２始動口スイッチ
４５ｃ                  普通電動役物ソレノイド（ソレノイド）
４６                    入賞装置
４６ｂ                  特別電動役物ソレノイド（ソレノイド）
４６ｃ                  大入賞口スイッチ
４８                    一般入賞口
４８ａ                  右上一般入賞口
４８ａ１                右上一般入賞口スイッチ
４８ｂ                  左上一般入賞口
４８ｂ１                左上一般入賞口スイッチ
４８ｃ                  左中一般入賞口
４８ｃ１                左中一般入賞口スイッチ
４８ｄ                  左下一般入賞口
４８ｄ１                左下一般入賞口スイッチ
４９ａ                  アウト口スイッチ
６０                    主制御基板（基板）
６００                  ワンチップマイクロコンピュータ（制御ＣＰＵ）
６００ａ                主制御ＣＰＵ
６００ｂ                主制御ＲＯＭ
６００ｃ                主制御ＲＡＭ
６０１ｆ                ８ビットのデータ信号
６０１ｅ                クロック信号
６１０                  計測表示装置（第１表示手段、第２表示手段）
６２０                  設定表示装置
ＲＯ_ＣＮＴ              累積アウトカウンタ
ＴＲＯ_ＣＮＴ            低確累積アウトカウンタ
ＲＳ_ＣＮＴ              累積賞球カウンタ
ＹＲＳ１_ＣＮＴ          第１役物累積賞球カウンタ
ＹＲＳ２_ＣＮＴ          第２役物累積賞球カウンタ
Ｑ１〜Ｑ４                ソレノイド駆動ドライバ（ソレノイド駆動手段）
ＣＮ７                    コネクタ（接続手段）
Ｏ                        中心点
Ｏ２                      中心線
Ｌ１ａ                  （ワンチップマイクロコンピュータとコネクタＣＮ７との）配線長の距離
Ｌ２                    （ワンチップマイクロコンピュータと計測表示装置との）配線長の距離